(57)【特許請求の範囲】
【請求項１】
左旋円偏波の衛星放送波の受信信号に含まれる第１放送信号をＣＡＴＶ帯域の第２放送信号にダウンコンバートするか否かが前記第１放送信号毎に設定される第１ディップスイッチと、
前記受信信号から前記第１放送信号を抽出して前記第２放送信号にダウンコンバートする第１周波数変換部と、
前記第１ディップスイッチでの設定に基づいて前記第１周波数変換部を制御する第１制御回路と、
を備え、
前記第１周波数変換部は、前記第１ディップスイッチにてダウンコンバートすると設定された前記第１放送信号を、該第１放送信号の第１伝送周波数帯域と予め定められた対応関係で対応付けられた第２伝送周波数帯域の前記第２放送信号にダウンコンバートする、ダウンコンバータ。
【請求項２】
前記衛星放送波は、左旋円偏波のＢＳ放送波と、左旋円偏波のＣＳ放送波と、を含む、請求項１に記載のダウンコンバータ。
【請求項３】
前記第１ディップスイッチにてダウンコンバートすると設定された前記第１放送信号の前記第１伝送周波数帯域はそれぞれ最小の前記第１伝送周波数帯域から周波数が小さい順に、最小の前記第２伝送周波数帯域から周波数が小さい順の前記第２伝送周波数帯域と対応付けられる、請求項１又は請求項２に記載のダウンコンバータ。
【請求項４】
前記第１周波数変換部がダウンコンバートする前記第１放送信号の数は、前記第１ディップスイッチが有するスイッチの数よりも少ない、請求項１〜請求項３のいずれかに記載のダウンコンバータ。
【請求項５】
前記数は、１２個又は８個である、請求項４に記載のダウンコンバータ。
【請求項６】
請求項１〜請求項５のいずれか１項に記載のダウンコンバータから伝送信号を受信し、該伝送信号に含まれるＣＡＴＶ帯域の第２放送信号を左旋円偏波の衛星放送波の第１放送信号にアップコンバートするアップコンバータであって、
前記第２放送信号からアップコンバートされる前記第１放送信号が設定される第２ディップスイッチと、
前記第２放送信号を前記第１放送信号にアップコンバートする第２周波数変換部と、
前記第２ディップスイッチでの設定に基づいて前記第２周波数変換部を制御する第２制御回路と、
を備え、
前記第２ディップスイッチにてアップコンバートされることが設定された前記第１放送信号の第１伝送周波数帯域は、予め定められた対応関係で前記第２放送信号の第２伝送周波数帯域と対応付けられ、
前記第２周波数変換部は、該対応関係に基づいて前記第２放送信号を前記第１放送信号にアップコンバートする、アップコンバータ。
【請求項７】
請求項１〜請求項５のいずれか１項に記載のダウンコンバータと、
請求項６に記載のアップコンバータと、
を備える、受信システム。
【発明の詳細な説明】
【技術分野】
【０００１】
本発明は、ダウンコンバータ、アップコンバータ、及び受信システムに関する。
【背景技術】
【０００２】
従来、ビル、マンションなどの建物内に敷設される受信システムでは、共同の衛星放送アンテナで受信したＢＳ、ＣＳなどの衛星放送波が中間周波数信号に変換され、混合及び分配されて、各々の住戸のＴＶチューナーに伝送される（たとえば特許文献１参照）。
【先行技術文献】
【特許文献】
【０００３】
【特許文献１】特開２００４−２００８７５号公報
【発明の概要】
【発明が解決しようとする課題】
【０００４】
ところで、２０１８年より４Ｋ或いは８Ｋの超高精細映像が提供可能な左旋円偏波の衛星放送波の実用放送が開始されている。左旋円偏波の衛星放送波の受信には、左旋円偏波の衛星放送波専用の受信アンテナ又は右左旋円偏波の衛星放送波対応の受信アンテナが必要であるが、それのみならず、受信システムの改修も必要とされる場合がある。たとえば、左旋円偏波の衛星放送波対応の受信アンテナから出力される中間周波数信号の伝送周波数帯域（２２２４〜２６４３［ＭＨｚ］及び２７４８〜３２２４［ＭＨｚ］）は、周波数が高いために伝送可能距離が短い。そのため、中間周波数信号の分配器と各々の住戸のＴＶチューナーとの間に信号増幅用のブースターを複数設ける必要が生じる可能性が高い。
【０００５】
また、左旋円偏波の衛星放送波の一部の物理チャンネルを任意に選択するとともに、各々の物理チャンネルの中間周波数信号をより低い伝送周波数帯域にダウンコンバートして分配及び伝送し、各々の住戸にてアップコンバートしてＴＶチューナーに供給することも考えられる。但し、この場合、アップコンバートする際に、どの物理チャンネルの中間周波数信号がどの伝送周波数帯域にダウンコンバートされたのかを知っている必要がある。そのため、従来では、分配器よりも前段に設けたダウンコンバータが、各々の住戸に設置される分配先のアップコンバータと通信し、選択された物理チャンネルと該物理チャンネルをダウンコンバートした伝送周波数帯域とをアップコンバータに通知する必要があった。従って、通信用のケーブルの増設など、受信システムの大幅な改修が必要となる可能性が高かった。
【０００６】
本発明は、上記の状況を鑑みて、受信システムの大幅な改修を要することなく、左旋円偏波の衛星放送波の任意に選択した物理チャンネルの放送を視聴可能にすることを目的とする。
【課題を解決するための手段】
【０００７】
上記目的を達成するために本発明の一の態様によるダウンコンバータは、左旋円偏波の衛星放送波の受信信号に含まれる第１放送信号をＣＡＴＶ帯域の第２放送信号にダウンコンバートするか否かが前記第１放送信号毎に設定される第１ディップスイッチと、前記受信信号から前記第１放送信号を抽出して前記第２放送信号にダウンコンバートする第１周波数変換部と、前記第１ディップスイッチでの設定に基づいて前記第１周波数変換部を制御する第１制御回路と、を備え、前記第１周波数変換部は、前記第１ディップスイッチにてダウンコンバートすると設定された前記第１放送信号を、該第１放送信号の第１伝送周波数帯域と予め定められた対応関係で対応付けられた第２伝送周波数帯域の前記第２放送信号にダウンコンバートする構成（第１の構成）とされる。
【０００８】
上記第１の構成のダウンコンバータにおいて、前記衛星放送波は、左旋円偏波のＢＳ放送波と、左旋円偏波のＣＳ放送波と、を含む構成（第２の構成）とされてもよい。
【０００９】
上記第１又は第２の構成のダウンコンバータにおいて、前記第１ディップスイッチにてダウンコンバートすると設定された前記第１放送信号の前記第１伝送周波数帯域はそれぞれ最小の前記第１伝送周波数帯域から周波数が小さい順に、最小の前記第２伝送周波数帯域から周波数が小さい順の前記第２伝送周波数帯域と対応付けられる構成（第３の構成）とされてもよい。
【００１０】
上記第１〜第３のいずれかの構成のダウンコンバータにおいて、前記第１周波数変換部がダウンコンバートする前記第１放送信号の数は、前記第１ディップスイッチが有するスイッチの数よりも少ない構成（第４の構成）とされてもよい。
【００１１】
上記第４の構成のダウンコンバータにおいて、前記数は、１２個又は８個である構成（第５の構成）とされてもよい。
【００１２】
上記目的を達成するために本発明の一の態様によるアップコンバータは、上記第１〜第５のいずれかの構成に記載のダウンコンバータから伝送信号を受信し、該伝送信号に含まれるＣＡＴＶ帯域の第２放送信号を左旋円偏波の衛星放送波の第１放送信号にアップコンバートするアップコンバータであって、前記第２放送信号からアップコンバートされる前記第１放送信号が設定される第２ディップスイッチと、前記第２放送号を前記第１放送信号にアップコンバートする第２周波数変換部と、前記第２ディップスイッチでの設定に基づいて前記第２周波数変換部を制御する第２制御回路と、を備え、前記第２ディップスイッチにてアップコンバートされることが設定された前記第１放送信号の第１伝送周波数帯域は、予め定められた対応関係で前記第２放送信号の第２伝送周波数帯域と対応付けられ、前記第２周波数変換部は、該対応関係に基づいて前記第２放送信号を前記第１放送信号にアップコンバートする構成（第６の構成）とされる。
【００１３】
上記目的を達成するために本発明の一の態様による受信システムは、上記第１〜第５のうちのいずれかの構成のコンバータと、上記第６の構成の受信装置と、を備える構成（第７の構成）とされる。
【発明の効果】
【００１４】
本発明によると、受信システムの大幅な改修を要することなく、左旋円偏波の衛星放送波の任意に選択した物理チャンネルの放送を視聴可能にすることができる。
【図面の簡単な説明】
【００１５】
【図１】受信システムの構成例を示す概念図である。
【図２】受信システムにおける衛星放送波の伝送例を説明するための図である。
【図３】ダウンコンバータの構成例を示すブロック図である。
【図４】左旋周波数変換部の構成例を示すブロック図である。
【図５】アップコンバータの構成例を示すブロック図である。
【図６】ＣＡＴＶ周波数変換部の構成例を示すブロック図である。
【図７】受信システムにおける衛星放送波の伝送の第１変形例を説明するための図である。
【図８】受信システムにおける衛星放送波の伝送の第２変形例を説明するための図である。
【発明を実施するための形態】
【００１６】
以下に図面を参照して本発明の実施形態を説明する。
【００１７】
＜１．実施形態＞
＜１−１．受信システム＞
受信システム１００は、たとえばビル、マンションなどの建物内に敷設される。図１は、受信システム１００の構成例を示す概念図である。図２は、受信システム１００における衛星放送波の伝送例を説明するための図である。
【００１８】
受信システム１００には、図１に示すように、衛星放送受信アンテナ２０１及び地上放送受信アンテナ２０２が接続される。
【００１９】
衛星放送受信アンテナ２０１は、衛星放送波を受信し、中間周波数信号（以下、ＩＦ信号と呼ぶ。）に変換して出力する。つまり、このＩＦ信号が、衛星放送受信アンテナ２０１が出力する受信信号である。なお、衛星放送波は、ＢＳ（broadcasting satellite）放送波と、ＣＳ（communications satellite）放送波と、を含む。また、ＢＳ放送波及びＣＳ放送波はそれぞれ、右旋円偏波の放送波と、左旋円偏波の放送波と、を含む。以下では、右旋円偏波のＢＳ放送波をＢＳ右旋放送波と呼び、右旋円偏波のＣＳ放送波をＣＳ右旋放送波と呼ぶ。また、左旋円偏波のＢＳ放送波をＢＳ左旋放送波と呼び、左旋円偏波のＣＳ放送波をＣＳ左旋放送波と呼ぶ。
【００２０】
ＢＳ右旋放送波は、１２個の物理チャンネルＢＳ１ｃｈ〜２３ｃｈを有する。また、図２に示すように、ＢＳ左旋放送波は、１２個の物理チャンネルＢＳ２ｃｈ〜２４ｃｈを有する。ＢＳ右旋放送波及びＢＳ左旋放送波が有する各々の物理チャンネルの中心周波数間隔は３８．３６［ＭＨｚ］であり、各々の物理チャンネルの占有周波数幅は３４．５［ＭＨｚ］である。本実施形態では、ＢＳ右旋放送波は、衛星放送受信アンテナ２０１にて周波数帯域が１０３２〜１４８９［ＭＨｚ］のＩＦ信号に変換されて出力される。また、ＢＳ左旋放送波は、衛星放送受信アンテナ２０１にて周波数帯域が２２２４〜２６８１［ＭＨｚ］のＩＦ信号に変換されて出力される。
【００２１】
ＣＳ右旋放送波は、１２個の物理チャンネルＣＳ２ｃｈ〜２４ｃｈを有する。なお、図２では、ＣＳ右旋放送波の物理チャンネルの図示は省略されている。また、図２に示すように、ＣＳ左旋放送波は、１３個の物理チャンネルＣＳ１ｃｈ〜２５ｃｈを有する。ＣＳ右旋放送波及びＣＳ左旋放送波が有する各々の物理チャンネルの中心周波数間隔は４０［ＭＨｚ］であり、各々の物理チャンネルの占有周波数幅は３４．５［ＭＨｚ］である。本実施形態では、ＣＳ右旋放送波は、衛星放送受信アンテナ２０１にて周波数帯域が１５９５〜２０７１［ＭＨｚ］のＩＦ信号に変換されて出力される。また、ＣＳ左旋放送波は、衛星放送受信アンテナ２０１にて周波数帯域が２７４８〜３２２４［ＭＨｚ］のＩＦ信号に変換されて出力される。
【００２２】
これらのＩＦ信号は、衛星放送受信アンテナ２０１から出力される受信信号に含まれている。
【００２３】
衛星放送受信アンテナ２０１は、本実施形態では、右旋円偏波の衛星放送波と左旋円偏波の衛星放送波との両方を受信可能である。但し、この例示には限定されず、衛星放送受信アンテナ２０１に変えて、右旋円偏波の衛星放送波専用の受信アンテナと左旋円偏波の衛星放送波専用の受信アンテナとが、受信システム１００にそれぞれ接続されてもよい。
【００２４】
地上放送受信アンテナ２０２は、地上デジタル放送波を受信して出力する。
【００２５】
受信システム１００は、衛星放送受信アンテナ２０１から出力される衛星放送波の放送信号と地上放送受信アンテナ２０２から出力される地上デジタル放送波の受信信号とを含む伝送信号を生成する。この際、衛星放送波の放送信号のうち、ＢＳ左旋放送波及びＣＳ左旋放送波の一部の物理チャンネルの第１放送信号は、伝送周波数帯域が１１８〜４２４［ＭＨｚ］及び７６９〜９２３［ＭＨｚ］であるＣＡＴＶ帯域の第２放送信号にダウンコンバートされる。受信システム１００は、生成した伝送信号を分配して、各々の住戸に供給する。
【００２６】
受信システム１００は、ダウンコンバータ１と、ブースター１０１と、分配器１０２と、複数のアップコンバートシステム３００と、を備える。
【００２７】
ダウンコンバータ１には、衛星放送受信アンテナ２０１及び地上放送受信アンテナ２０２が接続され、衛星放送波の受信信号と地上デジタル放送波の受信信号とが入力される。ダウンコンバータ１は、衛星放送波の放送信号と地上デジタル放送波の受信信号とを混合した伝送信号をブースター１０１に出力する。この際、ダウンコンバータ１は、衛星放送波の受信信号から左旋円偏波の衛星放送波（ＢＳ左旋放送波及びＣＳ左旋放送波）を抽出し、左旋円偏波の衛星放送波に含まれる一部の第１放送信号をＣＡＴＶ帯域の第２放送信号にダウンコンバートしてブースター１０１に出力する。なお、ダウンコンバータ１の構成は後に説明する。
【００２８】
ブースター１０１は、ダウンコンバータ１から入力される伝送信号を増幅して、分配器１０２に出力する。
【００２９】
分配器１０２は、ブースター１０１から入力される伝送信号を分配して、各々の住戸に設置されたアップコンバートシステム３００に供給する。
【００３０】
次に、各々の住戸において、アップコンバートシステム３００は、チューナー４０１を介して、ＴＶ受像機４０２に接続される。アップコンバートシステム３００は、ブースター３０１と、アップコンバータ２と、を備える。つまり、受信システム１００はブースター３０１及びアップコンバータ２をさらに備える。
【００３１】
ブースター３０１は、分配器１０２から供給される伝送信号を増幅し、アップコンバータ２に出力する。なお、少なくとも一部のアップコンバートシステム３００において、ブースター３０１は省略されてもよく、分配器１０２から供給される伝送信号がアップコンバータ２に供給されてもよい。
【００３２】
アップコンバータ２は、分配器１０２及びブースター３０１を介してダウンコンバータ１から伝送信号を受信する。アップコンバータ２は、該伝送信号から衛星放送波と地上デジタル放送波とを抽出するとともに、両者を分波してチューナー４０１に出力する。この際、アップコンバータ２は、ダウンコンバータ１から受信する伝送信号に含まれるＣＡＴＶ帯域の第２放送信号を左旋円偏波の衛星放送波の元の第１放送信号にアップコンバートする。なお、アップコンバータ２の構成は後に説明する。
【００３３】
チューナー４０１は、アップコンバータ２から入力される衛星放送波及び地上デジタル放送波の放送信号を選局する。ＴＶ受像機４０２は、チューナー４０１で選局された衛星放送波又は地上デジタル放送波の放送信号に基づく映像及び音声の出力を行う。少なくとも一部の住戸において、チューナー４０１及びＴＶ受像機４０２はそれぞれ、４Ｋ又は８Ｋの衛星放送波の受信及び出力に対応している。また、少なくとも一部の住戸において、チューナー４０１は、ＴＶ受像機４０２に内蔵されていてもよい。
【００３４】
＜１−２．ダウンコンバータ＞
次に、図１〜図３を参照して、ダウンコンバータ１の構成例を説明する。図３は、ダウンコンバータ１の構成例を示すブロック図である。
【００３５】
ダウンコンバータ１は、図３に示すように、衛星放送入力部１１１と、地上放送入力端子１１２と、ディップスイッチ１３と、制御回路１４と、左旋周波数変換部１５と、右旋抽出部１６と、伝送波合成部１７と、出力端子１８と、を備える。なお、ディップスイッチ１３、制御回路１４、及び左旋周波数変換部１５はそれぞれ、本発明の「第１ディップスイッチ」、「第１制御回路」、及び「第１周波数変換部」の一例である。
【００３６】
衛星放送入力部１１１は、衛星放送受信アンテナ２０１が接続される衛星放送入力端子（図示省略）を有する。衛星放送入力部１１１は、衛星放送受信アンテナ２０１から出力される衛星放送波の受信信号を分配して、左旋周波数変換部１５及び右旋抽出部１６に出力する。
【００３７】
地上放送入力端子１１２には、地上放送受信アンテナ２０２が接続され、地上放送受信アンテナ２０２から出力される地上デジタル放送波の受信信号が入力される。地上デジタル放送波の受信信号は、地上放送入力端子１１２から伝送波合成部１７に出力される。
【００３８】
ディップスイッチ１３では、左旋円偏波の衛星放送波の受信信号に含まれる第１放送信号をＣＡＴＶ帯域の第２放送信号にダウンコンバートするか否かが、該第１放送信号毎に設定される。ディップスイッチ１３は、スイッチＳＷ１〜ＳＷ２５を有する。なお、以下では、スイッチＳＷ１〜ＳＷ２５を「スイッチＳＷ」と総称することがある。スイッチＳＷ１〜ＳＷ２５の数は、ＢＳ左旋放送波の物理チャンネル（２ｃｈ〜２４ｃｈ）の数（１２個）と、ＣＳ左旋放送波の物理チャンネル（１ｃｈ〜２５ｃｈ）の数（１３個）との総和と同じである。ディップスイッチ１３にてダウンコンバートすると設定された第１放送信号の物理チャンネルは、本発明の「第１伝送周波数帯域」の一例である。
【００３９】
スイッチＳＷ１〜ＳＷ１２はそれぞれ、ＢＳ左旋放送波の各々の物理チャンネル（２ｃｈ〜２４ｃｈ）に対応し、対応する物理チャンネルのＢＳ左旋放送波の第１放送信号をダウンコンバートするか否かを設定できる。たとえば、スイッチＳＷ１がＯＮ側に設定されると、ＢＳ左旋放送波の２ｃｈの第１放送信号をＣＡＴＶ帯域の第２放送信号にダウンコンバートすると設定される。一方、スイッチＳＷ１がＯＦＦ側に設定されると、ＢＳ左旋放送波の２ｃｈの第１放送信号をＣＡＴＶ帯域の第２放送信号にダウンコンバートしないと設定される。後者の場合、ＢＳ左旋放送波の２ｃｈの第１放送信号は、ダウンコンバータ１が出力する伝送信号に含まれないため、伝送されない。なお、スイッチＳＷ２〜ＳＷ１２でのＯＮ／ＯＦＦと、ＢＳ左旋放送波の対応する物理チャンネルの第１放送信号をダウンコンバートするか否かとの関係はそれぞれ、スイッチＳＷ１での関係と同様であるため、説明を省略する。
【００４０】
スイッチＳＷ１３〜ＳＷ２５はそれぞれ、ＣＳ左旋放送波の各々の物理チャンネル（１ｃｈ〜２５ｃｈ）に対応し、対応する物理チャンネルのＣＳ左旋放送波の第１放送信号をダウンコンバートするか否かを設定できる。たとえば、スイッチＳＷ１３がＯＮ側に設定されると、ＣＳ左旋放送波の１ｃｈの第１放送信号をＣＡＴＶ帯域の第２放送信号にダウンコンバートすると設定される。一方、スイッチＳＷ１３がＯＦＦ側に設定されると、ＣＳ左旋放送波の１ｃｈの第１放送信号をＣＡＴＶ帯域の第２放送信号にダウンコンバートしないと設定される。後者の場合、ＣＳ左旋放送波の１ｃｈの第１放送信号は、伝送信号に含まれないため、伝送されない。なお、スイッチＳＷ１４〜ＳＷ２５でのＯＮ／ＯＦＦと、ＣＳ左旋放送波の対応する物理チャンネルの第１放送信号をダウンコンバートするか否かとの関係はそれぞれ、スイッチＳＷ１３での関係と同様であるため、説明を省略する。
【００４１】
ここで、衛星放送波の各々の物理チャンネルの占有周波数幅は、前述のごとく、３４．５［ＭＨｚ］である。そのため、図２に示すように、最大で１２個の左旋円偏波の衛星放送波の第１放送信号をＣＡＴＶ帯域の第２放送信号にダウンコンバートできる。たとえば、ＣＡＴＶ帯域のうちの低域１１８〜４２４［ＭＨｚ］では、ダウンコンバートした第２放送信号が、最大８個の伝送周波数帯域Ｚ１〜Ｚ８で伝送可能である。また、ＣＡＴＶ帯域のうちの高域７６９〜９２３［ＭＨｚ］では、ダウンコンバートした第２放送信号が、最大４個の伝送周波数帯域Ｚ９〜Ｚ１２で伝送可能である。なお、これらの伝送周波数帯域Ｚ１〜Ｚ１２は、本発明の「第２伝送周波数帯域」の一例である。
【００４２】
従って、ディップスイッチ１３にて、ＯＮ側に設定されるスイッチＳＷの数は、好ましくは１２個以下である。こうすれば、ＯＮ側に設定されたスイッチＳＷに対応する全ての物理チャンネルの第１放送信号をダウンコンバートしてＣＡＴＶ帯域で伝送できる。
【００４３】
また、より好ましくは、ＯＮ側に設定されるスイッチＳＷの数は、８個以下である。こうすれば、ＯＮ側に設定されたスイッチＳＷに対応する全ての物理チャンネルの第１放送信号をダウンコンバートしてＣＡＴＶ帯域のうちの低域１１８〜４２４［ＭＨｚ］で伝送できる。ダウンコンバータ１よりも後段に設置されるブースター１０１，３０１などの機器は、機種によっては、低域１１８〜４２４［ＭＨｚ］以外のＣＡＴＶ帯域の信号に対応していないことがある。ブースター１０１，３０１がこのような仕様の機種であっても、ＣＡＴＶ帯域の低域にダウンコンバートした放送信号を１０１，ブースター３０１で確実に増幅できる。
【００４４】
制御回路１４は、ディップスイッチ１３での設定に基づいて左旋周波数変換部１５を制御する。また、制御回路１４は、ディップスイッチ１３にてＯＮ側に設定されたスイッチＳＷの数がその許容最大値（たとえば１２個）よりも大きい場合、許容最大値と同数のスイッチＳＷでの設定を有効とし、他の設定を無効とする。たとえば本実施形態では、この場合、制御回路１４は、ＯＮ側に設定されたスイッチＳＷのうちからスイッチ番号の小さい順に、許容最大値と同数のスイッチＳＷを選択して有効とする。なお、有効とされるスイッチＳＷの選択方法は、この例示に限定されない。たとえば、ＯＮ側に設定されたスイッチＳＷの数がその許容最大値より大きい場合、制御回路１４は、スイッチ番号の大きい順に、許容最大値と同数のスイッチＳＷを選択して有効としてもよい。
【００４５】
左旋周波数変換部１５は、制御回路１４から出力される制御信号Ｓｃ１に基づいて、衛星放送入力部１１１から出力される衛星放送波の受信信号からダウンコンバートする左旋円偏波の衛星放送波の第１放送信号を抽出する。さらに、左旋周波数変換部１５は、ディップスイッチ１３にてダウンコンバートすると設定された第１放送信号を、該第１放送信号の物理チャンネルと予め定められた対応関係で対応付けられたＣＡＴＶ帯域の第２放送信号にダウンコンバートする。なお、上述の予め定められた対応関係は、原則的には、アップコンバータ２でも用いられる。
【００４６】
左旋周波数変換部１５がダウンコンバートする左旋円偏波の衛星放送波の第１放送信号の数は、ディップスイッチ１３が有するスイッチＳＷ１〜ＳＷ２５の数よりも少ない。こうすれば、ダウンコンバートする左旋円偏波の衛星放送波の第１放送信号を全て、ディップスイッチ１３で設定できる。
【００４７】
また、左旋周波数変換部１５がダウンコンバートする第１放送信号の数は１２個にできる。こうすれば、伝送周波数帯域が１１８〜４２４［ＭＨｚ］及び７６９〜９２３［ＭＨｚ］であるＣＡＴＶ帯域の全域を使って、左旋円偏波の衛星放送波のダウンコンバートした放送信号を全て伝送できる。
【００４８】
又は、左旋周波数変換部１５がダウンコンバートする第１放送信号の数は、図２に示すように８個にできる。こうすれば、ＣＡＴＶ帯域のうちの低域１１８〜４２４［ＭＨｚ］を使って、左旋円偏波の衛星放送波のダウンコンバートした放送信号を全て伝送できる。そのため、ダウンコンバータ１の後段に設置されるブースター１０１，３０１などの機器が、低域１１８〜４２４［ＭＨｚ］以外のＣＡＴＶ帯域の信号に対応しない仕様であっても、ＣＡＴＶ帯域にダウンコンバートした放送信号に増幅などの処理を確実に実施できる。
【００４９】
左旋周波数変換部１５は、ダウンコンバートした第２放送信号を合成して伝送波合成部１７に出力する。なお、左旋周波数変換部１５の構成及びダウンコンバート処理の実施例は、後に説明する。
【００５０】
右旋抽出部１６は、衛星放送入力部１１１から入力される信号から右旋円偏波の衛星放送波の受信信号を抽出し、該放送信号を伝送波合成部１７に出力する。たとえば、右旋抽出部１６は、ＢＳ右旋放送波用のバンドパスフィルタ（図示省略）と、ＣＳ右旋放送波用のバンドパスフィルタ（図示省略）と、混合器（図示省略）と、を有する。ＢＳ右旋放送波用のバンドパスフィルタは、伝送周波数帯域が１０３２〜１４８９［ＭＨｚ］であるＢＳ右旋放送波の放送信号を抽出する。バンドパスフィルタは、ＣＳ右旋放送波の伝送周波数帯域が１５９５〜２０７１［ＭＨｚ］であるＣＳ右旋放送波用の放送信号を抽出する。混合器は、上述の２つのバンドパスフィルタから出力される放送信号を右旋円偏波の衛星放送波の受信信号として合成する。
【００５１】
伝送波合成部１７は、左旋周波数変換部１５から出力されるＣＡＴＶ帯域の第２放送信号と、右旋抽出部１６から出力される右旋円偏波の衛星放送波の受信信号と、地上放送入力端子１１２から出力される地上デジタル放送波の受信信号とを合成して伝送信号を生成し、出力端子１８に出力する。
【００５２】
出力端子１８は、ブースター１０１と接続され、伝送波合成部１７から出力される伝送信号をブースター１０１に出力する。
【００５３】
上述のダウンコンバータ１では、ダウンコンバートする左旋円偏波の衛星放送波の第１放送信号が、ディップスイッチ１３により設定される。さらに、予め定められた対応関係により、ダウンコンバートすると設定された第１放送信号をＣＡＴＶ帯域のどの伝送周波数帯域の第２放送信号にダウンコンバートするのかが決定される。従って、受信システム１００のダウンコンバータ１側とアップコンバータ２側とで予め定められた対応関係の情報を共有して用いることにより、ダウンコンバータ１は、左旋円偏波の衛星放送波のどの物理チャンネルの第１放送信号をＣＡＴＶ帯域のどの伝送周波数帯域の第２放送信号にダウンコンバートしたかをアップコンバータ２に通知する必要がない。従って、たとえば該通知を行うためのケーブルを受信システム１００に新設する必要がない。よって、受信システム１００の大幅な改修を要することなく、各々の住戸にて、左旋円偏波の衛星放送波の任意に選択した物理チャンネルの放送を視聴可能にすることができる。
【００５４】
さらに、左旋円偏波の衛星放送波の第１放送信号をダウンコンバートして、各々のアップコンバートシステム３００に分配するため、分配する信号の伝送可能距離がより長くなる。従って、分配器１０２とアップコンバータ２との間に複数のブースターの設置の必要性を迫られることなく、アップコンバートシステム３００で左旋円偏波の衛星放送波を視聴できる。
【００５５】
＜１−２−１．左旋周波数変換部＞
次に、図２〜図４を参照して、ダウンコンバータ１の左旋周波数変換部１５の構成例を説明する。図４は、左旋周波数変換部１５の構成例を示すブロック図である。
【００５６】
左旋周波数変換部１５は、本実施形態ではデジタル信号処理ＬＳＩ（large-scale integrated circuit）である。左旋周波数変換部１５は、制御回路１４から出力される制御信号Ｓｃ１と上述の予め定められた対応関係とに基づいて、ディップスイッチ１３にてダウンコンバートすると設定された左旋円偏波の衛星放送波の第１放送信号をＣＡＴＶ帯域の第２放送信号にダウンコンバートする。
【００５７】
左旋周波数変換部１５は、図４に示すように、Ａ／Ｄコンバータ１５１と、抽出部１５２と、変換部１５３と、合成部１５４と、Ｄ／Ａコンバータ１５５と、決定部１５６と、を有する。本実施形態では、これらの構成要素１５１〜１５６はいずれも、デジタル信号処理ＬＳＩの機能的な構成要素である。
【００５８】
決定部１５６は、制御回路１４から出力される制御信号Ｓｃ１に基づいて、ダウンコンバートする左旋円偏波の衛星放送波の第１放送信号の物理チャンネルを決定する。さらに、決定部１５６は、予め定められた対応関係に基づいて、該物理チャンネルの第１放送信号をＣＡＴＶ帯域のどの伝送周波数帯域にダウンコンバートするかを決定する。
【００５９】
Ａ／Ｄコンバータ１５１は、衛星放送入力部１１１から入力されるアナログ信号をデジタルの伝送信号に変換し、抽出部１５２に出力する。抽出部１５２は、決定部１５６にて決定された物理チャンネルの第１放送信号をＡ／Ｄコンバータ１５１が出力するデジタルの伝送信号からそれぞれ抽出して変換部１５３に出力する。変換部１５３は、抽出部１５２にて抽出された第１放送信号を、決定部１５６にて決定された伝送周波数帯域の第２放送信号にそれぞれダウンコンバートする。合成部１５４は、変換部１５３にてダウンコンバートされた各々の第２放送信号をＣＡＴＶ帯域の伝送信号に合成し、Ｄ／Ａコンバータ１５５に出力する。Ｄ／Ａコンバータ１５５は、合成部１５４から出力されるデジタルの伝送信号をアナログの伝送信号に変換し、伝送波合成部１７に出力する。
【００６０】
＜１−２−２．ダウンコンバート処理＞
次に、図２〜図４を参照して、ダウンコンバータ１におけるダウンコンバート処理の実施例を説明する。
【００６１】
なお、本実施形態では、予め定められた対応関係にて、ディップスイッチ１３にてダウンコンバートすると設定された左旋円偏波の衛星放送波の物理チャンネルはそれぞれ最小の物理チャンネルから周波数が小さい順に、ＣＡＴＶ帯域での最小の伝送周波数帯域Ｚ１から周波数が小さい順の伝送周波数帯域Ｚ１〜Ｚ１２と対応付けられる。そのため、たとえばディップスイッチ１３においてスイッチＳＷ１〜ＳＷ２５のＯＮ／ＯＦＦが図３に示すように設定された場合、ＢＳ左旋放送波の８ｃｈ、１２ｃｈ、１４ｃｈの第１放送信号がそれぞれ、ＣＡＴＶ帯域における伝送周波数帯域Ｚ１〜Ｚ３の第２放送信号と順に対応付けられる。さらに、ＣＳ左旋放送波の９ｃｈ、１１ｃｈ、１９ｃｈ、２１ｃｈ、２３ｃｈの第１放送信号がそれぞれ、ＣＡＴＶ帯域における伝送周波数帯域Ｚ４〜Ｚ８の第２放送信号と順に対応付けられる。
【００６２】
ＢＳ左旋放送波及びＣＳ左旋放送波のダウンコンバート処理において、ＢＳ左旋放送波の８ｃｈの放送信号は、伝送周波数帯域Ｚ１の伝送信号に周波数変換される。なお、ＢＳ左旋放送波の８ｃｈの放送信号は、図３に示すディップスイッチ１３にてダウンコンバートすると設定された左旋円偏波の衛星放送波の第１放送信号のうち、伝送周波数帯域が最も小さい放送信号である。伝送周波数帯域Ｚ１は、ＣＡＴＶ帯域において周波数が最も小さい伝送周波数帯域である。
【００６３】
また、ＢＳ左旋放送波の１２ｃｈの放送信号は、伝送周波数帯域Ｚ２の伝送信号に周波数変換される。なお、ＢＳ左旋放送波の１２ｃｈの放送信号は、図３に示すディップスイッチ１３にてダウンコンバートすると設定された左旋円偏波の衛星放送波の第１放送信号のうち、伝送周波数帯域が２番目に小さい放送信号である。伝送周波数帯域Ｚ２は、ＣＡＴＶ帯域において周波数が２番目に小さい伝送周波数帯域である。
【００６４】
また、ＢＳ左旋放送波の１４ｃｈの放送信号は、伝送周波数帯域Ｚ３の伝送信号に周波数変換される。なお、ＢＳ左旋放送波の１４ｃｈの放送信号は、図３に示すディップスイッチ１３にてダウンコンバートすると設定された左旋円偏波の衛星放送波の第１放送信号のうち、伝送周波数帯域が３番目に小さい放送信号である。伝送周波数帯域Ｚ３は、ＣＡＴＶ帯域において周波数が３番目に小さい伝送周波数帯域である。
【００６５】
さらに、ＣＳ左旋放送波の９ｃｈの放送信号は、伝送周波数帯域Ｚ４の伝送信号に周波数変換される。なお、ＣＳ左旋放送波の９ｃｈの放送信号は、図３に示すディップスイッチ１３にてダウンコンバートすると設定された左旋円偏波の衛星放送波の第１放送信号のうち、伝送周波数帯域が４番目に小さい放送信号である。伝送周波数帯域Ｚ４は、ＣＡＴＶ帯域において周波数が４番目に小さい伝送周波数帯域である。
【００６６】
また、ＣＳ左旋放送波の１１ｃｈの放送信号は、伝送周波数帯域Ｚ５の伝送信号に周波数変換される。なお、ＣＳ左旋放送波の１１ｃｈの放送信号は、図３に示すディップスイッチ１３にてダウンコンバートすると設定された左旋円偏波の衛星放送波の第１放送信号のうち、伝送周波数帯域が５番目に小さい放送信号である。伝送周波数帯域Ｚ５は、ＣＡＴＶ帯域において周波数が５番目に小さい伝送周波数帯域である。
【００６７】
また、ＣＳ左旋放送波の１９ｃｈの放送信号は、伝送周波数帯域Ｚ６の伝送信号に周波数変換される。なお、ＣＳ左旋放送波の１９ｃｈの放送信号は、図３に示すディップスイッチ１３にてダウンコンバートすると設定された左旋円偏波の衛星放送波の第１放送信号のうち、伝送周波数帯域が６番目に小さい放送信号である。伝送周波数帯域Ｚ６は、ＣＡＴＶ帯域において周波数が６番目に小さい伝送周波数帯域である。
【００６８】
また、ＣＳ左旋放送波の２１ｃｈの放送信号は、伝送周波数帯域Ｚ７の伝送信号に周波数変換される。なお、ＣＳ左旋放送波の２１ｃｈの放送信号は、図３に示すディップスイッチ１３にてダウンコンバートすると設定された左旋円偏波の衛星放送波の第１放送信号のうち、伝送周波数帯域が７番目に小さい放送信号である。伝送周波数帯域Ｚ７は、ＣＡＴＶ帯域において周波数が７番目に小さい伝送周波数帯域である。
【００６９】
また、ＣＳ左旋放送波の２３ｃｈの放送信号は、伝送周波数帯域Ｚ８の伝送信号に周波数変換される。なお、ＣＳ左旋放送波の２３ｃｈの放送信号は、図３に示すディップスイッチ１３にてダウンコンバートすると設定された左旋円偏波の衛星放送波の第１放送信号のうち、伝送周波数帯域が８番目に小さい放送信号である。伝送周波数帯域Ｚ８は、ＣＡＴＶ帯域において周波数が８番目に小さい伝送周波数帯域である。
【００７０】
伝送周波数帯域Ｚ１〜Ｚ８にダウンコンバートされたＣＡＴＶ帯域の第２放送信号は、右旋円偏波の衛星放送波の放送信号及び地上デジタル放送波の放送信号とともに伝送信号として合成される。
【００７１】
＜１−３．アップコンバータ＞
次に、図１〜図２及び図５を参照して、アップコンバータ２の構成例を説明する。図５は、アップコンバータ２の構成例を示すブロック図である。
【００７２】
アップコンバータ２は、図５に示すように、入力端子２１と、分波器２２と、ディップスイッチ２３と、制御回路２４と、ＣＡＴＶ周波数変換部２５と、ＢＳ／ＣＳ合成部２７と、衛星放送出力端子２８１と、地上放送出力端子２８２と、を有する。なお、ディップスイッチ２３、制御回路２４、及びＣＡＴＶ周波数変換部２５はそれぞれ、本発明の「第２ディップスイッチ」、「第２制御回路」、及び「第２周波数変換部」の一例である。
【００７３】
入力端子２１は、ブースター３０１と接続されている。入力端子２１には、ダウンコンバータ１から出力されて分配器１０２にて分配された伝送信号がブースター３０１を介して入力される。該伝送信号は、分波器２２に出力される。
【００７４】
分波器２２は、入力端子２１から入力される伝送信号を、ＣＡＴＶ帯域の第２放送信号と、右旋円偏波の衛星放送波の受信信号と、地上デジタル放送波の受信信号と、に分波する。ＣＡＴＶ帯域の第２放送信号は、ＣＡＴＶ周波数変換部２５に出力される。右旋円偏波の衛星放送波の受信信号は、ＢＳ／ＣＳ合成部２７に出力される。地上デジタル放送波の放送信号は、地上放送出力端子２８２に出力される。
【００７５】
ディップスイッチ２３では、ＣＡＴＶ帯域の第２放送信号からアップコンバートされる左旋円偏波の衛星放送波の第１放送信号が設定される。ディップスイッチ２３は、スイッチＳＷａ１〜ＳＷａ２５を有する。なお、以下では、スイッチＳＷ１ａ〜ＳＷａ２５を「スイッチＳＷａ」と総称することがある。スイッチＳＷａ１〜ＳＷａ２５の数は、ＢＳ左旋放送波及びＣＳ左旋放送波の物理チャンネルの総数と同じ２５個であり、ダウンコンバータ１のディップスイッチ１３が有するスイッチＳＷ１〜ＳＷ２５の数と同じである。
【００７６】
スイッチＳＷａ１〜ＳＷａ１２はそれぞれ、ＢＳ左旋放送波の各々の物理チャンネル（２ｃｈ〜２４ｃｈ）に対応し、対応する物理チャンネルの第１放送信号にＣＡＴＶ帯域の第２放送信号をアップコンバートするか否かを設定できる。たとえば、スイッチＳＷａ１がＯＮ側に設定されると、ＣＡＴＶ帯域の第２放送信号をＢＳ左旋放送波の２ｃｈにアップコンバートすると設定される。一方、スイッチＳＷａ１がＯＦＦ側に設定されると、ＢＳ左旋放送波の２ｃｈにはアップコンバートしないと設定される。なお、スイッチＳＷａ２〜ＳＷａ１２でのＯＮ／ＯＦＦと、ＢＳ左旋放送波の対応する物理チャンネルの第１放送信号にアップコンバートするか否かとの関係はそれぞれ、スイッチＳＷａ１での関係と同様であるため、説明を省略する。
【００７７】
スイッチＳＷａ１３〜ＳＷａ２５はそれぞれ、ＣＳ左旋放送波の各々の物理チャンネル（１ｃｈ〜２５ｃｈ）に対応し、対応する物理チャンネルの第１放送信号にＣＡＴＶ帯域の第２放送信号をアップコンバートするか否かを設定できる。たとえば、スイッチＳＷａ１３がＯＮ側に設定されると、ＣＡＴＶ帯域の第２放送信号をＣＳ左旋放送波の１３ｃｈにアップコンバートすると設定される。一方、スイッチＳＷａ１３がＯＦＦ側に設定されると、ＣＳ左旋放送波の１３ｃｈにはアップコンバートしないと設定される。なお、スイッチＳＷａ１４〜ＳＷａ２５でのＯＮ／ＯＦＦと、ＣＳ左旋放送波の対応する物理チャンネルの第１放送信号にアップコンバートするか否かとの関係はそれぞれ、スイッチＳＷａ１３での関係と同様であるため、説明を省略する。
【００７８】
スイッチＳＷａ１〜ＳＷａ２５でのＯＮ／ＯＦＦ設定は、原則的には、ダウンコンバータ１内のディップスイッチ１３のスイッチＳＷ１〜ＳＷ２５でのＯＮ／ＯＦＦ設定と同じとされる。また、ディップスイッチ１３にて、ＯＮ側に設定されるスイッチＳＷの数は、好ましくは１２個以下であり、より好ましくは８個以下である。
【００７９】
制御回路２４は、ディップスイッチ２３での設定に基づいてＣＡＴＶ周波数変換部２５を制御する。また、制御回路２４は、ディップスイッチ２３にてＯＮに設定されたスイッチＳＷａの数がその許容最大値（たとえば１２個）よりも大きい場合、スイッチＳＷａ１〜ＳＷａ２５のうちの許容最大値と同数のスイッチＳＷａでの設定を有効とし、他の設定を無効とする。なお、この場合に有効とされるスイッチＳＷａの選択方法は、制御回路１４でのスイッチＳＷの選択方法と同じである。
【００８０】
ＣＡＴＶ周波数変換部２５は、分波器２２の出力信号からＣＡＴＶ帯域の第２放送信号を抽出する。また、ディップスイッチ２３にてアップコンバートされることが設定された左旋円偏波の衛星放送波の第１放送信号の物理チャンネルは、予め定められた対応関係でＣＡＴＶ帯域の伝送周波数帯域と対応付けられている。ＣＡＴＶ周波数変換部２５は、制御回路２４から出力される制御信号Ｓｃ２と該対応関係とに基づいてＣＡＴＶ帯域の第２放送信号を左旋円偏波の衛星放送波の第１放送信号にアップコンバートする。なお、アップコンバータ２で用いられる予め定められた対応関係は、原則的には、ダウンコンバータ１で用いられるものと同一である。さらに、ＣＡＴＶ周波数変換部２５は、アップコンバートされた第１放送信号を合成してＢＳ／ＣＳ合成部２７に出力する。なお、ＣＡＴＶ周波数変換部２５の構成及びアップコンバート処理の実施例は後に説明する。
【００８１】
ＢＳ／ＣＳ合成部２７は、ＣＡＴＶ周波数変換部２５から出力される左旋円偏波の衛星放送波の第１放送信号と、分波器２２から出力される右旋円偏波の衛星放送波の受信信号とを合成した衛星放送信号を生成し、衛星放送出力端子２８１に出力する。
【００８２】
衛星放送出力端子２８１及び地上放送出力端子２８２は、チューナー４０１と接続される。衛星放送出力端子２８１は、ＢＳ／ＣＳ合成部２７から入力される衛星放送信号をチューナー４０１に出力する。地上放送出力端子２８２は、分波器２２から入力される地上デジタル放送波の受信信号をチューナー４０１に出力する。
【００８３】
上述のアップコンバータ２によれば、ＣＡＴＶ帯域の第２放送信号が左旋円偏波の衛星放送波のどの物理チャンネルの第１放送信号にアップコンバートされるのかが、ディップスイッチ２３により設定される。さらに、予め定められた対応関係により、ＣＡＴＶ帯域のどの伝送周波数帯域の第２放送信号を左旋円偏波の衛星放送波のどの物理チャンネルにアップコンバートするのかが決定される。従って、受信システム１００のダウンコンバータ１側とアップコンバータ２側とで予め定められた対応関係の情報を共有して用いることにより、アップコンバータ２は、ＣＡＴＶ帯域のどの伝送周波数帯域の第２放送信号を左旋円偏波の衛星放送波のどの物理チャンネルの第１放送信号にアップコンバートするかの通知をダウンコンバータ１から受信する必要がない。従って、たとえば該通知を行うためのケーブルを受信システム１００に新設する必要がないので、受信システム１００の大幅な改修を要することなく、各々の住戸にて、左旋円偏波の衛星放送波の任意に選択した物理チャンネルの放送を視聴可能にすることができる。
【００８４】
＜１−３−１．ＣＡＴＶ周波数変換部＞
次に、図２及び図５〜図６を参照して、アップコンバータ２のＣＡＴＶ周波数変換部２５の構成例を説明する。図６は、ＣＡＴＶ周波数変換部２５の構成例を示すブロック図である。
【００８５】
ＣＡＴＶ周波数変換部２５は、本実施形態ではデジタル信号処理ＬＳＩである。ディップスイッチ２３にてアップコンバートされることが設定された左旋円偏波の衛星放送波の第１放送信号の物理チャンネルは、予め定められた対応関係により、ＣＡＴＶ帯域の第２放送信号の伝送周波数帯域Ｚ１〜Ｚ１２と対応付けられる。ＣＡＴＶ周波数変換部２５は、該対応関係と制御回路２４から出力される制御信号Ｓｃ２とに基づいて、アップコンバートされることが設定された左旋円偏波の衛星放送波の第１放送信号にＣＡＴＶ帯域の第２放送信号をアップコンバートする。
【００８６】
ＣＡＴＶ周波数変換部２５は、図６に示すように、Ａ／Ｄコンバータ２５１と、抽出部２５２と、変換部２５３と、合成部２５４と、Ｄ／Ａコンバータ２５５と、決定部２５６と、を有する。本実施形態では、これらの構成要素２５１〜２５６はいずれも、デジタル信号処理ＬＳＩの機能的な構成要素である。
【００８７】
決定部２５６は、制御回路２４から出力される制御信号Ｓｃ２と上述の予め定められた対応関係とに基づいて、ＣＡＴＶ帯域のどの伝送周波数帯域の第２放送信号を左旋円偏波の衛星放送波のどの物理チャンネルの第１放送信号にアップコンバートするかを決定する。
【００８８】
Ａ／Ｄコンバータ２５１は、分波器２２から入力されるアナログ信号をデジタルの伝送信号に変換し、抽出部２５２に出力する。抽出部２５２は、ＣＡＴＶ帯域の各々の伝送周波数帯域Ｚ１〜Ｚ１２の第２放送信号をＡ／Ｄコンバータ２５１が出力するデジタルの伝送信号からそれぞれ抽出して変換部２５３に出力する。変換部２５３は、抽出部２５２にて抽出された第２放送信号を、決定部２５６にて決定された物理チャンネルの第１放送信号にそれぞれアップコンバートする。合成部２５４は、変換部２５３にてアップコンバートされた各々の第１放送信号を左旋円偏波の衛星放送波の伝送信号に合成し、Ｄ／Ａコンバータ２５５に出力する。Ｄ／Ａコンバータ２５５は、合成部２５４から出力されるデジタルの伝送信号をアナログの伝送信号に変換し、ＢＳ／ＣＳ合成部２７に出力する。
【００８９】
＜１−３−２．アップコンバート処理＞
次に、図２及び図５〜図６を参照して、アップコンバータ２におけるアップコンバート処理の実施例を説明する。
【００９０】
なお、本実施形態では、予め定められた対応関係にて、ＣＡＴＶ帯域での最小の伝送周波数帯域Ｚ１から周波数が小さい順の伝送周波数帯域Ｚ１〜Ｚ１２はそれぞれ、ディップスイッチ２３にてアップコンバートされると設定された左旋円偏波の衛星放送波の第１放送信号の物理チャンネルと最小の物理チャンネルから周波数が小さい順に対応付けられる。そのため、たとえばディップスイッチ２３においてスイッチＳＷａ１〜ＳＷａ２５のＯＮ／ＯＦＦが図６に示すように設定された場合、ＣＡＴＶ帯域における伝送周波数帯域Ｚ１〜Ｚ３の第２放送信号がそれぞれ、ＢＳ左旋放送波の８ｃｈ、１２ｃｈ、１４ｃｈの第１放送信号と順に対応付けられる。さらに、ＣＡＴＶ帯域における伝送周波数帯域Ｚ４〜Ｚ８の第２放送信号がそれぞれ、ＣＳ左旋放送波の９ｃｈ、１１ｃｈ、１９ｃｈ、２１ｃｈ、２３ｃｈの第１放送信号と順に対応付けられる。
【００９１】
ＢＳ左旋放送波及びＣＳ左旋放送波のアップコンバート処理において、ＣＡＴＶ帯域の伝送周波数帯域Ｚ１の伝送信号は、ＢＳ左旋放送波の８ｃｈの放送信号に周波数変換される。なお、ＢＳ左旋放送波の８ｃｈの放送信号は、図５に示すディップスイッチ２３にてアップコンバートされると設定された左旋円偏波の衛星放送波の第１放送信号のうち、伝送周波数帯域が最も小さい放送信号である。
【００９２】
また、ＣＡＴＶ帯域の伝送周波数帯域Ｚ２の伝送信号は、ＢＳ左旋放送波の１２ｃｈの放送信号に周波数変換される。なお、ＢＳ左旋放送波の１２ｃｈの放送信号は、図５に示すディップスイッチ２３にてアップコンバートされると設定された左旋円偏波の衛星放送波の放送信号のうち、伝送周波数帯域が２番目に小さい放送信号である。
【００９３】
また、ＣＡＴＶ帯域の伝送周波数帯域Ｚ３の伝送信号は、ＢＳ左旋放送波の１４ｃｈの放送信号に周波数変換される。なお、ＢＳ左旋放送波の１４ｃｈの放送信号は、図５に示すディップスイッチ２３にてアップコンバートされると設定された左旋円偏波の衛星放送波の放送信号のうち、伝送周波数帯域が３番目に小さい放送信号である。
【００９４】
さらに、ＣＡＴＶ帯域の伝送周波数帯域Ｚ４の伝送信号は、ＣＳ左旋放送波の９ｃｈの放送信号に周波数変換される。なお、ＣＳ左旋放送波の９ｃｈの放送信号は、図５に示すディップスイッチ２３にてアップコンバートされると設定された左旋円偏波の衛星放送波の放送信号のうち、伝送周波数帯域が４番目に小さい放送信号である。
【００９５】
また、ＣＡＴＶ帯域の伝送周波数帯域Ｚ５の伝送信号は、ＣＳ左旋放送波の１１ｃｈの放送信号に周波数変換される。なお、ＣＳ左旋放送波の１１ｃｈの放送信号は、図５に示すディップスイッチ２３にてアップコンバートされると設定された左旋円偏波の衛星放送波の放送信号のうち、伝送周波数帯域が５番目に小さい放送信号である。
【００９６】
また、ＣＡＴＶ帯域の伝送周波数帯域Ｚ６の伝送信号は、ＣＳ左旋放送波の１９ｃｈの放送信号に周波数変換される。なお、ＣＳ左旋放送波の１９ｃｈの放送信号は、図５に示すディップスイッチ２３にてアップコンバートされると設定された左旋円偏波の衛星放送波の放送信号のうち、伝送周波数帯域が６番目に小さい放送信号である。
【００９７】
また、ＣＡＴＶ帯域の伝送周波数帯域Ｚ７の伝送信号は、ＣＳ左旋放送波の２１ｃｈの放送信号に周波数変換される。なお、ＣＳ左旋放送波の２１ｃｈの放送信号は、図５に示すディップスイッチ２３にてアップコンバートされると設定された左旋円偏波の衛星放送波の放送信号のうち、伝送周波数帯域が７番目に小さい放送信号である。
【００９８】
また、ＣＡＴＶ帯域の伝送周波数帯域Ｚ６の伝送信号は、ＣＳ左旋放送波の２３ｃｈの放送信号に周波数変換される。なお、ＣＳ左旋放送波の２３ｃｈの放送信号は、図５に示すディップスイッチ２３にてアップコンバートされると設定された左旋円偏波の衛星放送波の放送信号のうち、伝送周波数帯域が８番目に小さい放送信号である。
【００９９】
アップコンバートされた左旋円偏波の衛星放送波（つまり、ＢＳ左旋放送波の８ｃｈ、１２ｃｈ、１４ｃｈ、及びＣＳ左旋放送波の９ｃｈ、１１ｃｈ、１９ｃｈ、２１ｃｈ、２３ｃｈ）の第１放送信号は、右旋円偏波の衛星放送波の受信信号とともに衛星放送信号として合成される。
【０１００】
＜２．変形例＞
次に、ダウンコンバータ１及びアップコンバータ２における左旋円偏波の衛星放送波の物理チャンネルと、ＣＡＴＶ帯域の伝送周波数帯域Ｚ１〜Ｚ１２との対応関係は、上述の実施形態の例示に限定されない。以下の変形例では、実施形態と異なる構成を説明する。また、実施形態と同様の構成要素には同じ符号を付し、その説明を省略することがある。
【０１０１】
＜２−１．第１変形例＞
たとえば、ディップスイッチ１３（ディップスイッチ２３）にてダウンコンバート（アップコンバート）すると設定された左旋円偏波の衛星放送波の第１放送信号の物理チャンネルはそれぞれ最小の物理チャンネルから周波数が小さい順に、ＣＡＴＶ帯域での最大の伝送周波数帯域Ｚ１２から周波数が大きい順の伝送周波数帯域Ｚ１２〜Ｚ１と対応付けられてもよい。図７は、受信システム１００における衛星放送波の伝送の第１変形例を説明するための図である。なお、図７では、ＣＳ右旋放送波の物理チャンネルの図示は省略されている。
【０１０２】
第１変形例では、ディップスイッチ１３、２３が図３及び図５に示すように設定された場合、ＢＳ左旋放送波の８ｃｈ、１２ｃｈ、１４ｃｈがそれぞれ、ＣＡＴＶ帯域の伝送周波数帯域Ｚ１２〜Ｚ１０と対応付けられる。さらに、ＣＳ左旋放送波の９ｃｈ、１１ｃｈ、１９ｃｈ、２１ｃｈ、２３ｃｈがそれぞれ、ＣＡＴＶ帯域の伝送周波数帯域Ｚ９〜Ｚ５と対応付けられる。
【０１０３】
そのため、ＢＳ左旋放送波及びＣＳ左旋放送波のダウンコンバート処理において、ＢＳ左旋放送波の８ｃｈ、１２ｃｈ、１４ｃｈの第１放送信号とＣＳ左旋放送波の９ｃｈ、１１ｃｈ、１９ｃｈ、２１ｃｈ、２３ｃｈの第１放送信号とは、この順にＣＡＴＶ帯域の伝送周波数帯域Ｚ１２、Ｚ１１、Ｚ１０、Ｚ９、Ｚ８、Ｚ７、Ｚ６、Ｚ５の第２放送信号にそれぞれ周波数変換される。伝送周波数帯域Ｚ１２〜Ｚ５にダウンコンバートされたＣＡＴＶ帯域の第２放送信号は、右旋円偏波の衛星放送波の放送信号、及び、地上デジタル放送波の放送信号ととともに伝送信号として合成される。該伝送信号は、分配器１０２にて分配されて、各々のアップコンバートシステム３００に伝送される。
【０１０４】
また、ＢＳ左旋放送波及びＣＳ左旋放送波のアップコンバート処理において、ＣＡＴＶ帯域の伝送周波数帯域Ｚ１２、Ｚ１１、Ｚ１０、Ｚ９、Ｚ８、Ｚ７、Ｚ６、Ｚ５の第２放送信号は、この順にＢＳ左旋放送波の８ｃｈ、１２ｃｈ、１４ｃｈの第１放送信号とＣＳ左旋放送波の９ｃｈ、１１ｃｈ、１９ｃｈ、２１ｃｈ、２３ｃｈの第１放送信号とにそれぞれ周波数変換される。アップコンバートされた左旋円偏波の衛星放送波（つまり、ＢＳ左旋放送波の８ｃｈ、１２ｃｈ、１４ｃｈ、及びＣＳ左旋放送波の９ｃｈ、１１ｃｈ、１９ｃｈ、２１ｃｈ、２３ｃｈ）の第１放送信号は、右旋円偏波の衛星放送波の受信信号とともに衛星放送信号として合成される。
【０１０５】
＜２−２．第２変形例＞
或いは、ディップスイッチ１３（ディップスイッチ２３）にてダウンコンバート（アップコンバート）すると設定された左旋円偏波の衛星放送波の第１放送信号の物理チャンネルはそれぞれ最小の物理チャンネルから周波数が小さい順に、ＣＡＴＶ帯域において地上波デジタル放送波よりも周波数が小さい低域１１８〜４２４［ＭＨｚ］のうちの最大の伝送周波数帯域Ｚ８から周波数が大きい順の伝送周波数帯域Ｚ８〜Ｚ１と対応付けられてもよい。図８は、受信システム１００における衛星放送波の伝送の第２変形例を説明するための図である。なお、図８では、ＣＳ右旋放送波の物理チャンネルの図示は省略されている。
【０１０６】
第２変形例では、ディップスイッチ１３、２３が図３及び図５に示すように設定された場合、ＢＳ左旋放送波の８ｃｈ、１２ｃｈ、１４ｃｈがそれぞれ、ＣＡＴＶ帯域の伝送周波数帯域Ｚ８〜Ｚ６と対応付けられる。さらに、ＣＳ左旋放送波の９ｃｈ、１１ｃｈ、１９ｃｈ、２１ｃｈ、２３ｃｈがそれぞれ、ＣＡＴＶ帯域の伝送周波数帯域Ｚ５〜Ｚ１と対応付けられる。
【０１０７】
そのため、ＢＳ左旋放送波及びＣＳ左旋放送波のダウンコンバート処理において、ＢＳ左旋放送波の８ｃｈ、１２ｃｈ、１４ｃｈの第１放送信号とＣＳ左旋放送波の９ｃｈ、１１ｃｈ、１９ｃｈ、２１ｃｈ、２３ｃｈの第１放送信号とは、この順にＣＡＴＶ帯域の伝送周波数帯域Ｚ８、Ｚ７、Ｚ６、Ｚ５、Ｚ４、Ｚ３、Ｚ２、Ｚ１の第２放送信号にそれぞれ周波数変換される。伝送周波数帯域Ｚ８〜Ｚ１にダウンコンバートされたＣＡＴＶ帯域の第２放送信号は、右旋円偏波の衛星放送波の放送信号、及び、地上デジタル放送波の放送信号とともに伝送信号として合成される。該伝送信号は、分配器１０２にて分配されて、各々のアップコンバートシステム３００に伝送される。
【０１０８】
また、ＢＳ左旋放送波及びＣＳ左旋放送波のアップコンバート処理において、ＣＡＴＶ帯域の伝送周波数帯域Ｚ８、Ｚ７、Ｚ６、Ｚ５、Ｚ４、Ｚ３、Ｚ２、Ｚ１の第２放送信号は、この順にＢＳ左旋放送波の８ｃｈ、１２ｃｈ、１４ｃｈの第１放送信号とＣＳ左旋放送波の９ｃｈ、１１ｃｈ、１９ｃｈ、２１ｃｈ、２３ｃｈの第１放送信号とにそれぞれ周波数変換される。アップコンバートされた左旋円偏波の衛星放送波（つまり、ＢＳ左旋放送波の８ｃｈ、１２ｃｈ、１４ｃｈ、及びＣＳ左旋放送波の９ｃｈ、１１ｃｈ、１９ｃｈ、２１ｃｈ、２３ｃｈ）の第１放送信号は、右旋円偏波の衛星放送波の受信信号とともに衛星放送信号として合成される。
【０１０９】
＜２−３．その他の変形＞
たとえば、上述の実施形態、第１及び第２変形例では、左旋周波数変換部１５及びＣＡＴＶ周波数変換部２５はデジタル信号処理ＬＳＩであり、Ａ／Ｄコンバータ１５１，２５１、抽出部１５２，２５２、変換部１５３，２５３、合成部１５４，２５４、Ｄ／Ａコンバータ１５５，２５５、及び決定部１５６、２５６はいずれもデジタル信号処理ＬＳＩの機能的な構成要素であった。但し、これらの例示に限定されず、Ａ／Ｄコンバータ１５１，２５１、抽出部１５２，２５２、変換部１５３，２５３、合成部１５４，２５４、Ｄ／Ａコンバータ１５５，２５５、及び決定部１５６、２５６の一部又は全部は、電気回路，素子，装置などの物理的な構成要素で実現されていてもよい。
【０１１０】
さらに、上述の実施形態、第１及び第２変形例では、左旋周波数変換部１５及びＣＡＴＶ周波数変換部２５はどちらもデジタル処理を行う構成要素であった。但し、この例示に限定されず、左旋周波数変換部１５及びＣＡＴＶ周波数変換部２５のうちの一方又は両方は、アナログ処理を行う構成要素であってもよい。なお、左旋周波数変換部１５がアナログ処理を行う構成要素とされる場合、Ａ／Ｄコンバータ１５１及びＤ／Ａコンバータ１５５は省略できる。また、ＣＡＴＶ周波数変換部２５がアナログ処理を行う構成要素とされる場合、Ａ／Ｄコンバータ２５１及びＤ／Ａコンバータ２５５は省略できる。
【０１１１】
＜４．まとめ＞
以上に説明したダウンコンバータ１は、左旋円偏波の衛星放送波の受信信号に含まれる第１放送信号をＣＡＴＶ帯域の第２放送信号にダウンコンバートするか否かが第１放送信号毎に設定されるディップスイッチ１３と、受信信号から第１放送信号を抽出して第２放送信号にダウンコンバートする左旋周波数変換部１５と、ディップスイッチ１３での設定に基づいて左旋周波数変換部１５を制御する制御回路１４と、を備え、左旋周波数変換部１５は、ディップスイッチ１３にてダウンコンバートすると設定された第１放送信号を、該第１放送信号の物理チャンネル（第１伝送周波数帯域）と予め定められた対応関係で対応付けられた第２伝送周波数帯域の第２放送信号にダウンコンバートする構成（第１の構成）とされる。
【０１１２】
上記第１の構成によれば、ダウンコンバートする左旋円偏波の衛星放送波の第１放送信号が、ディップスイッチ１３により設定される。さらに、予め定められた対応関係により、ダウンコンバートすると設定された第１放送信号をＣＡＴＶ帯域のどの伝送周波数帯域の第２放送信号にダウンコンバートするのかが決定される。従って、受信システム１００のダウンコンバータ１側とアップコンバータ２側とで予め定められた対応関係の情報を共有して用いることにより、ダウンコンバータ１は、左旋円偏波の衛星放送波のどの物理チャンネルの第１放送信号をＣＡＴＶ帯域のどの伝送周波数帯域の第２放送信号にダウンコンバートするかをアップコンバータ２に通知する必要がない。従って、たとえば該通知を行うためのケーブルを受信システム１００に新設する必要がない。よって、受信システム１００の大幅な改修を要することなく、各々の住戸にて、左旋円偏波の衛星放送波の任意に選択した物理チャンネルの放送を視聴可能にすることができる。
【０１１３】
さらに、左旋円偏波の衛星放送波の第１放送信号をダウンコンバートして、各々のアップコンバートシステム３００に分配するため、分配する信号の伝送可能距離がより長くなる。従って、分配器１０２とアップコンバータ２との間に複数のブースターの設置の必要性を迫られることなく、アップコンバートシステム３００で左旋円偏波の衛星放送波を視聴できる。
【０１１４】
上記第１の構成のダウンコンバータ１において、衛星放送波は、左旋円偏波のＢＳ放送波と、左旋円偏波のＣＳ放送波と、を含む構成（第２の構成）であってもよい。
【０１１５】
上記第２の構成によれば、各々のアップコンバートシステム３００でのＢＳ左旋放送波及びＣＳ左旋放送波を視聴可能にすることができる。
【０１１６】
上記第１又は第２の構成のダウンコンバータ１において、ディップスイッチ１３にてダウンコンバートすると設定された第１放送信号の物理チャンネル（第１伝送周波数帯域）はそれぞれ最小の物理チャンネルから周波数が小さい順に、最小の第２伝送周波数帯域から周波数が小さい順の第２伝送周波数帯域と対応付けられる構成（第３の構成）であってもよい。
【０１１７】
上記第３の構成によれば、上記の予め定められた対応関係を簡便に設定できる。また、ダウンコンバータ１よりも後段に設置されるブースター３０１などの機器は、機種によっては、ＣＡＴＶ帯域のうちの低域１１８〜４２４［ＭＨｚ］には対応しているが、高域７６９〜９２３［ＭＨｚ］のＣＡＴＶ帯域には対応していないことがある。上記の予め定められた対応関係により、ＣＡＴＶ帯域のうちの低域１１８〜４２４［ＭＨｚ］に第１放送信号を優先的にダウンコンバートできるので、分配器１０２及びアップコンバータ２間のたとえばブースター３０１が、上述のような仕様の機種であっても、ＣＡＴＶ帯域にダウンコンバートした放送号をブースター３０１で確実に増幅できる。
【０１１８】
上記第１〜第３のうちのいずれかの構成のダウンコンバータ１において、左旋周波数変換部１５がダウンコンバートする左旋円偏波の衛星放送波の第１放送信号の数は、ディップスイッチ１３が有するスイッチＳＷ１〜ＳＷ２５の数よりも少ない構成（第４の構成）であってもよい。
【０１１９】
上記第４の構成によれば、ダウンコンバートする左旋円偏波の衛星放送波の第１放送信号を全て、ディップスイッチ１３で設定できる。
【０１２０】
上記第４の構成のダウンコンバータ１において、上記の数は、１２個又は８個である構成（第５の構成）であってもよい。
【０１２１】
上記第５の構成によれば、ダウンコンバートする第１放送信号の数を１２個とすることにより、伝送周波数帯域が１１８〜４２４［ＭＨｚ］及び７６９〜９２３［ＭＨｚ］であるＣＡＴＶ帯域の全域を使って、左旋円偏波の衛星放送波のダウンコンバートした放送信号を全て伝送できる。
【０１２２】
又は、ダウンコンバートする第１放送信号の数を８個とすることにより、ＣＡＴＶ帯域のうちの低域１１８〜４２４［ＭＨｚ］を使って、左旋円偏波の衛星放送波のダウンコンバートした放送信号を全て伝送できる。そのため、ダウンコンバータ１の後段に設置されるブースター１０１，３０１などの機器が、低域１１８〜４２４［ＭＨｚ］以外のＣＡＴＶ帯域の信号に対応しない仕様であっても、ＣＡＴＶ帯域にダウンコンバートした放送信号に増幅などの処理を確実に実施できる。
【０１２３】
また、以上に説明したアップコンバータ２は、上記第１〜第５のいずれかの構成のダウンコンバータ１から受信する伝送信号に含まれるＣＡＴＶ帯域の第２放送信号を左旋円偏波の衛星放送波の第１放送信号にアップコンバートするアップコンバータ２であって、第２放送信号からアップコンバートされる第１放送信号が設定されるディップスイッチ２３と、第２放送号を第１放送信号にアップコンバートするＣＡＴＶ周波数変換部２５と、ディップスイッチ２３での設定に基づいてＣＡＴＶ周波数変換部２５を制御する制御回路２４と、を備え、ディップスイッチ２３にてアップコンバートされることが設定された第１放送信号の物理チャンネル（第１伝送周波数帯域）は、予め定められた対応関係で第２放送信号の第２伝送周波数帯域と対応付けられ、ＣＡＴＶ周波数変換部２５は、該対応関係に基づいて第２放送信号を第１放送信号にアップコンバートする構成（第６の構成）とされる。
【０１２４】
上記第６の構成によれば、ＣＡＴＶ帯域の第２放送信号が第１放送信号のどの物理チャンネルにアップコンバートされるのかが、ディップスイッチ２３により設定される。さらに、予め定められた対応関係により、ＣＡＴＶ帯域のどの伝送周波数帯域の第２放送信号を左旋円偏波の衛星放送波の受信信号のどの物理チャンネルにアップコンバートするのかが決定される。従って、受信システム１００のダウンコンバータ１側とアップコンバータ２側とで予め定められた対応関係の情報を共有して用いることにより、アップコンバータ２は、ＣＡＴＶ帯域のどの伝送周波数帯域の第２放送信号を左旋円偏波の衛星放送波のどの物理チャンネルの第１放送信号にアップコンバートするかの通知をダウンコンバータ１から受信する必要がない。従って、たとえば該通知を行うためのケーブルを受信システム１００に新設する必要がない。よって、受信システム１００の大幅な改修を要することなく、左旋円偏波の衛星放送波の任意に選択した物理チャンネルの放送を視聴可能にすることができる。
【０１２５】
また、以上に説明した受信システム１００は、上記第１〜第５のうちのいずれかの構成のダウンコンバータ１と、上記第６の構成のアップコンバータ２と、を備える構成（第７の構成）とされる。
【０１２６】
上記第７の構成によれば、受信システムの大幅な改修を要することなく、左旋円偏波の衛星放送波の任意に選択した物理チャンネルの放送を視聴可能にすることができる。
【０１２７】
以上、本発明の実施形態について説明した。なお、上述の実施形態は例示であり、その各構成要素及び各処理の組み合わせに色々な変形が可能であり、本発明の範囲にあることは当業者に理解されるところである。
【符号の説明】
【０１２８】
１００    受信システム
１０１      ブースター
１０２      分配器
２０１      衛星放送受信アンテナ
２０２      地上放送受信アンテナ
３００      アップコンバートシステム
３０１        ブースター
４０１      チューナー
４０２      ＴＶ受像機
１          ダウンコンバータ
１１１        衛星放送入力部
１１２        地上放送入力端子
１３          ディップスイッチ
１４          制御回路
１５          左旋周波数変換部
１５１          Ａ／Ｄコンバータ
１５２          抽出部
１５３          変換部
１５４          合成部
１５５          Ｄ／Ａコンバータ
１５６          決定部
１６          右旋抽出部
１７          伝送波合成部
１８          出力端子
２          アップコンバータ
２１          入力端子
２２          分波器
２３          ディップスイッチ
２４          制御回路
２５          ＣＡＴＶ周波数変換部
２５１          Ａ／Ｄコンバータ
２５２          抽出部
２５３          変換部
２５４          合成部
２５５          Ｄ／Ａコンバータ
２５６          決定部
２７          ＢＳ／ＣＳ合成部
２８１        衛星放送出力端子
２８２        地上放送出力端子
ＳＷ，ＳＷ１〜ＳＷ２５，ＳＷａ，ＳＷａ１〜ＳＷａ２５      スイッチ
Ｚ１〜Ｚ１２      伝送周波数帯域
【図１】
0006880132.tif 000002
【図２】
0006880132.tif 000003
【図３】
0006880132.tif 000004
【図４】
0006880132.tif 000005
【図５】
0006880132.tif 000006
【図６】
0006880132.tif 000007
【図７】
0006880132.tif 000008
【図８】
0006880132.tif 000009